(57)【特許請求の範囲】
【請求項１】
容器本体と、前記容器本体に載置して用いる蓋体を含む放射性物質収納容器であって、
前記容器本体及び前記蓋体は放射線遮蔽材料で形成されており、
前記容器本体は柱状体であってその内部に放射性物質を収納するための凹状の空間部分を有し、該空間部分の上端は開口をなし、
前記開口は、前記容器本体の上面の周縁部より一段と高く設けられた台状体に設けられ、
前記蓋体は、前記台状体と篏合することにより、前記開口を閉止し、前記台状体に篏合した状態の前記蓋体が水平一方向に移動することにより前記開口を開放状態にさせることを特徴とする放射性物質収納容器。
【請求項２】
前記台状体は、前記蓋体が前記台状体に篏合した篏合状態で前記蓋体の前面に対向する部分に上方向に突設された台状体前方壁を有し、
前記蓋体は、前記篏合状態で前記台状体の後端面に対向する部分に下方向に突設された蓋体後方壁を有する、請求項１に記載の放射性物質収納容器。
【請求項３】
前記蓋体は、前記篏合状態で前記台状体の左右側面に対向する部分に下方向に突設された蓋体側方壁を更に有する、請求項２に記載の放射性物質収納容器。
【請求項４】
前記台状体は、前記篏合状態で前記蓋体の左右側面に対向する部分に上方向に突設された台状体側方壁を更に有する、請求項２に記載の放射性物質収納容器。
【請求項５】
容器本体と、前記容器本体に載置して用いる蓋体を含む放射性物質収納容器であって、
前記容器本体及び蓋体は放射線遮蔽材料で形成されており、
前記容器本体は柱状体であってその内部に放射性物質を収納するための凹状の空間部分を有し、該空間部分の上端は開口をなし、
前記開口は、前記容器本体に設けられた、平面視でコの字状の切り欠き部に形成されており、
前記蓋体が、前記切り欠き部と篏合することにより、前記開口を閉止し、
前記蓋体が前記切り欠き部に篏合した状態の前記蓋体が水平一方向に移動することにより前記開口を開放状態にさせることを特徴とする放射性物質収納容器。
【請求項６】
前記切り欠き部は、前記蓋体が前記切り欠き部に篏合した篏合状態において、前記蓋体の前端面に対向する部分に立設された切り欠き部前方壁と、前記蓋体の左右側面に対向する部分に立設された切り欠き部側方壁と、を有し、
前記蓋体は、前記篏合状態で、前記容器本体の側壁面に対向する部分に下方向に突設された蓋体後方壁が設けられている、請求項５に記載の放射性物質収納容器。
【請求項７】
容器本体と、前記容器本体に載置して用いる蓋体を含む放射性物質収納容器であって、
前記容器本体及び蓋体は放射線遮蔽材料で形成されており、
前記容器本体は柱状体であってその内部に放射性物質を収納するための凹状の空間部分を有し、該空間部分の上端は開口をなし、
前記開口は、前記容器本体の上面部分に形成されており、
前記蓋体は、前記容器本体の上面部分全体と篏合することにより、前記開口を閉止し、
前記閉止状態の前記蓋体が水平一方向に移動することにより前記開口を開放状態にさせ、
前記容器本体の上面部分には、前記蓋体が篏合する篏合状態において前記蓋体の前端面に対向する部分に突設された上面部分前方壁が設けられており、
前記蓋体は、前記容器本体の上面部分の後端面につながる容器本体の側壁面に対向する部分に下方向に突設された蓋体後方壁及び前記容器本体の側方に対向する部分に下方向に突設された蓋体側方壁を有することを特徴とする放射性物質収納容器。
【発明の詳細な説明】
【技術分野】
【０００１】  本発明は、放射性物質収納容器に関するものである。更に詳しくは、本発明は、容器本体と容器本体に載置して用いる蓋体を含む放射性物質収納容器であって、収納された放射性物質から放出される放射線の容器外への漏洩を高度に防止することができ、かつ容器への放射性物質の出し入れに際し、リフト装置等の大掛かりな外部装置を用いることなく、蓋体の移動を極めて円滑に実施することができるという優れた特徴を有する放射性物質収納容器に関するものである。
【背景技術】
【０００２】  放射性物質は、取り扱い作業者に対する不要な放射線被曝を防止するため、放射線遮蔽材料で形成された容器に収納されるのが一般である。ここで、十分な遮蔽効果を得るために、放射線遮蔽材料としては鉛等の高比重の材質を十分な厚みを持って用いる必要があり、そのため容器はかなりの重量となる。容器は、通常、放射性物質を収納するための空間部分を有する容器本体と該空間部分に放射性物質を出し入れするための開口部と蓋体を有する。そして、蓋体も、上記の理由から、かなりの重量物となる。【０００３】  従来の容器の例として、空間部分の上部の開口部に蓋体が載置されており、放射性物質の出し入れに際しては蓋体を上方に持ち上げて開口部を開放する形式のものがある（図７、図８）。しかしながらこの場合、重い蓋体を人力で上方に持ち上げるには相当の困難を伴う。そこで、人力のみに依らず、外部のリフト装置等を用いて蓋体を持ち上げる方法があるが、この場合は大掛かりなリフト装置を準備する必要があるという不都合がある。【０００４】  ところで、特許文献１には、上記の不都合に対処する方法として、蓋体を上方に持ち上げるのではなく、水平方向に移動させて開口部を開放することができる放射性物質収納容器が開示されている（概略は図９）。しかしながらこの方法においては、蓋体と容器本体の境界部分に間隙部分を生じ、該間隙を通しての放射線の容器外部への漏洩が懸念される。【０００５】  以上のとおり、収納された放射性物質から放出される放射線の容器外への漏洩を高度に防止することができ、かつ容器への放射性物質の出し入れに際し、リフト装置等の大掛かりな外部装置を用いることなく、蓋体の移動を極めて円滑に実施することができる放射性物質収納容器は知られていなかった。
【先行技術文献】
【特許文献】
【０００６】
【特許文献１】特開２００７−１６３４４６号公報
【発明の概要】
【発明が解決しようとする課題】
【０００７】  かかる状況において、本発明が解決しようとする課題は、容器本体と容器本体に載置して用いる蓋体を含む放射性物質収納容器であって、収納された放射性物質から放出される放射線の容器外への漏洩を高度に防止することができ、かつ容器への放射性物質の出し入れに際し、リフト装置等の大掛かりな外部装置を用いることなく、蓋体の移動を極めて円滑に実施することができるという優れた特徴を有する放射性物質収納容器を提供する点にある。
【課題を解決するための手段】
【０００８】  すなわち、本発明は、容器本体と容器本体に載置して用いる蓋体を含む放射性物質収納容器であって、下記（Ａ）〜（Ｃ）の特徴を有する放射性物質収納容器に係るものである。
（Ａ）容器本体及び蓋体は放射線遮蔽材料で形成されていること
（Ｂ）容器本体は柱状体であってその内部に放射性物質を収納するための凹状の空間部分を有し、該空間部分の上端は開口をなし、蓋体で開口を閉止した閉止状態において、開口の全周が壁状体て包囲されていること
（Ｃ）閉止状態にある蓋体を水平一方向に移動することにより開口を開放状態にできること
【発明の効果】
【０００９】  本発明により、容器本体と容器本体に載置して用いる蓋体を含む放射性物質収納容器であって、収納された放射性物質から放出される放射線の容器外への漏洩を高度に防止することができ、かつ容器への放射性物質の出し入れに際し、リフト装置等の大掛かりな外部装置を用いることなく、蓋体の移動を極めて円滑に実施することができるという優れた特徴を有する放射性物質収納容器を提供することができる。
【図面の簡単な説明】
【００１０】
【図１】本発明の第一の実施態様による容器の例を示す図（斜視図）である。蓋の構造を説明するため、使用時から反転した位置のものも図示した。
【図２】本発明の第一の実施態様による容器の例を示す図（正面図及び平面図）である。
【図３】本発明の第一の実施態様による容器の例を示す図（正面図及び平面図）であって、蓋体を除いた場合の図である。
【図４】本発明の第二の実施態様による容器の例を示す図（斜視図）である。蓋の構造を説明するため、使用時から反転した位置のものも図示した。
【図５】本発明の第三の実施態様による容器の例を示す図（斜視図）である。蓋の構造を説明するため、使用時から反転した位置のものも図示した。
【図６】本発明の第四の実施態様による容器の例を示す図（斜視図）である。蓋の構造を説明するため、使用時から反転した位置のものも図示した。
【図７】従来の技術による容器の例（蓋体を上方に持ち上げる型）を示す図である。
【図８】従来の技術による容器の例（蓋体を上方に持ち上げる型）を示す図である。
【図９】従来の技術による容器の例（蓋体を水平に移動させる型）を示す図である。
【発明を実施するための形態】
【００１１】  以下、本発明の実施の形態について、詳細に説明する。なお、括弧（  ）内の数字は図面中の符号に対応する。
本発明の放射性物質収納容器は、容器本体（１）と該容器本体に載置して用いる蓋体（２）を含むものである。
【００１２】  本発明の容器が収納する放射性物質（３）としては、特に制限はなく、医学的診断・治療用途、非破壊検査用途、各種材料への放射線照射による改質用途等に用いられる放射線源としての放射性物質をあげることができる。放射性物質は、各種用途への使用前のものであってもよく、使用後のものであってもよい。放射性物質としては、１２５Ｉ、１０３Ｐｄ、９９Ｍｏ、６７Ｇａ、１１１Ｉｎ等を例示することができる。なお、放射性物質は直に本発明の放射性物質収納容器に収納してもよく、プラスチック容器等の他の内容器に収納したものを本発明の放射性物質収納容器に収納してもよい。
【００１３】  容器本体（１）及び蓋体（２）は放射線遮蔽材料で形成されている（Ａ）。放射線遮蔽材料としては、鉛、タングステン等及びこれらの合金を例示することができる。
【００１４】  容器本体（１）は柱状体であってその内部に放射性物質を収納するための凹状の空間部分（４）を有し、該空間部分の上端は開口（５）をなし、蓋体（２）で開口（５）を閉止した閉止状態において、開口（５）の全周が壁状体で包囲されている（Ｂ）。
【００１５】  容器本体（１）は柱状体であるが、具体的な形状については特に制限はなく、円柱状、角柱状等をあげることができる。なお、蓋体（２）の形状についても特に制限はなく、要するに閉止状態において開口（５）を完全に覆うことができればよい。
【００１６】  放射性物質を収納するための凹状の空間部分（４）の形状としては、特に制限はなく、円柱状、角柱状等をあげることができる。
【００１７】  凹状の空間部分（４）の上端は開口（５）をなしており、ここから放射性物質（３）が出し入れされる。
【００１８】  本発明の放射性物質収納容器は、蓋体（２）で開口（５）を閉止した閉止状態において、開口（５）の全周が壁状体で包囲される構造を有する。
【００１９】  本発明の放射性物質収納容器は、閉止状態にある蓋体（２）を水平一方向に移動することにより開口（５）を開放状態にできる構造を有する（Ｃ）。
【００２０】  上記の（Ｂ）及び（Ｃ）については、具体的な実施態様をあげて以下詳細に説明する。なお、各実施態様において共通の用語で表される部分であって、適用される実施態様を区別した方が明確であるものについては、たとえば「第一の実施態様」に係るものについては「第一の」なる接頭語を付して用いた。
【００２１】  まず、本発明の第一の実施態様について説明する（図１〜３参照）。
【００２２】  本発明の第一の実施態様は、上記（Ａ）〜（Ｃ）の特徴を有する放射性物質収納容器であって、かつ下記（Ｄ）〜（Ｆ）の特徴を有するものである。
【００２３】  開口（５）は容器本体（１）である柱状体の上面の周縁部より一段と高く設けられた台状体（６）に形成されている（Ｄ）。
【００２４】  台状体（６）の形態については特に制限はなく、要するに開口（５）を設けることができる広さを有しておればよい。
【００２５】
蓋体（２）の下面には、閉止状態において台状体（６）と篏合可能な第一の蓋体凹状部分（７）が形成されており、該第一の蓋体凹状部分（７）は、台状体（６）の後端面に対向する部分に下方向に突設された第一の蓋体後方壁（８）及び台状体（６）の左右側面に対向する部分に下方向に突設された第一の蓋体側方壁（９）を有する（Ｅ）。
【００２６】  第一の蓋体凹状部分（７）は、蓋体（２）の使用状態にあっては、逆さ凹字状となる。
【００２７】  なお、本発明における「上」とは、放射性物質を収納するための凹状の空間部分（４）を垂直方向に置いた場合に開口（５）が存在する方向であり、その逆方向が「下」である。また、「後」とは、蓋体（２）を水平に移動させて閉止状態から開放状態に移行する場合の蓋体（２）の進行方向であり、その逆方向が「前」である。
【００２８】  台状体（６）には、閉止状態としたときに蓋体（２）の前面に対向する部分に上方向に突設された台状体前方壁（１０）が設けられている（Ｆ）。
【００２９】  次に、本発明の第二の実施態様について説明する（図４参照）。
【００３０】  本発明の第二の実施態様は、前記（Ａ）〜（Ｃ）の特徴を有する放射性物質収納容器であって、かつ下記（Ｇ）〜（Ｉ）の特徴を有するものである。
【００３１】  開口（５）は容器本体（１）である柱状体の上面の周縁部より一段と高く設けられた台状体（６）に形成されている（Ｇ）。この特徴は前記（Ｄ）と同じである。
【００３２】
台状体（６）には、蓋体（２）で開口（５）を閉止した閉止状態において蓋体（２）が篏合可能な台状体凹状部分（１１）が形成されており、該台状体凹状部分（１１）は、蓋体（２）の前端面に対向する部分に上方向に突設された台状体前方壁（１２）及び蓋体（２）の左右側面に対向する部分に上方向に突設された台状体側方壁（１３）を有する（Ｈ）。
【００３３】  蓋体（２）には、閉止状態としたときに台状体（６）の後端面に対向する部分に下方向に突設された第二の蓋体後方壁（１４）が設けられている（Ｉ）。
【００３４】  次に、本発明の第三の実施態様について説明する（図５参照）。
【００３５】  本発明の第三の実施態様は、上記（Ａ）〜（Ｃ）の特徴を有する放射性物質収納容器であって、かつ下記（Ｊ）〜（Ｌ）の特徴を有するものである。
【００３６】  開口（５）は、容器本体（１）である柱状体の上面にあって上面の周縁部より一段と低く設けられた上面凹状部分（１５）に形成されている（Ｊ）。上面凹状部分（１５）の形態については特に制限はなく、要するに開口（５）を設けることができる広さを有しておればよい。
【００３７】
上面凹状部分（１５）は、蓋体（２）で開口（５）を閉止した閉止状態において蓋体（２）と篏合可能であり、該閉止状態において蓋体（２）の前端面に対向する部分に立設された上面凹状部分前方壁（１６）及び蓋体（２）の左右側面に対向する部分に立設された上面凹状部分側方壁（１７）を有する（Ｋ）。
【００３８】  蓋体（２）には、閉止状態としたときに上面凹状部分（１５）の後端面につながる容器本体（１）の側壁面に対向する部分に下方向に突設された第三の蓋体後方壁（１８）が設けられている（Ｌ）。
【００３９】  次に、本発明の第四の実施態様について説明する（図６参照）。
【００４０】  本発明の第四の実施態様は、上記（Ａ）〜（Ｃ）の特徴を有する放射性物質収納容器であって、かつ下記（Ｍ）〜（Ｏ）の特徴を有するものである。
【００４１】  開口（５）は容器本体（１）である柱状体の上面部分（１９）に形成されている（Ｍ）。
【００４２】  上面部分（１９）には、蓋体（２）で開口（５）を閉止した閉止状態において蓋体（２）の前端面に対向する部分に立設された上面部分前方壁（２０）が設けられている（Ｎ）。
【００４３】
蓋体（２）の下面には、閉止状態において容器本体の上面部分（１９）と篏合可能な第四の蓋体凹状部分（２１）が形成されており、該第四の蓋体凹状部分（２１）は、閉止状態としたときに容器本体の上面部分（１９）の後端面につながる容器本体（１）の側壁面に対向する部分に下方向に突設された第四の蓋体後方壁（２２）及び容器本体（１）の側方に対向する部分に下方向に突設された第四の蓋体側方壁（２３）を有する（Ｏ）。
【００４４】
本発明の放射性物質収納容器は、以上説明したとおりであり、蓋体（２）を水平方向に移動することにより開口（５）を開放・閉止できる構造とし、かつ蓋体（２）で開口（５）を閉止した閉止状態において、開口（５）の全周が壁状体で包囲されているという特徴的な構造を用いることにより、前記の本発明が解決しようとする課題を完全に解決したものである。そして、具体的には、蓋体（２）と台状体（６）を篏合可能な構造とし、かつ特に蓋体後方壁（８、１４、１８、２２）を用いることにより上記の構造を実現したのである。
【００４５】  本発明においては、蓋体（２）の移動を容易とするために、蓋体（２）の上面に適当な取っ手（図示せず）を設けることが好ましい。更に、蓋体（２）に固定され、蓋体（２）の左右側方に延伸する蓋体支持用部材（図示せず）を設け、該支持用部材の両端を容器本体の外部にあって、蓋体の移動方向に沿って敷設された案内レール（図示せず）上に載せ、支持用部材と案内レールの接触部分の摩擦を少なくした状態（たとえば、ベアリング等を使用する）で蓋体の重量を該支持用部材で支え、蓋体と容器本体を直接接触しない構造とすることにより、蓋体の開閉操作を一層円滑にすることができる。
【産業上の利用可能性】
【００４６】  本発明は、容器本体と容器本体に載置して用いる蓋体を含む放射性物質収納容器であって、収納された放射性物質から放出される放射線の容器外への漏洩を高度に防止することができ、かつ容器への放射性物質の出し入れに際し、リフト装置等の大掛かりな外部装置を用いることなく、蓋体の移動を極めて円滑に実施することができるという優れた特徴を有する放射性物質収納容器に利用することができる。
【符号の説明】
【００４７】１  容器本体
２  蓋体
３  放射性物質
４  凹状の空間部分
５  開口
６  台状体
７  第一の蓋体凹状部分
８  第一の蓋体後方壁
９  第一の蓋体側方壁
１０  台状体前方壁
１１  台状体凹状部分
１２  台状体前方壁
１３  台状体側方壁
１４  第二の蓋体後方壁
１５  上面凹状部分
１６  上面凹状部分前方壁
１７  上面凹状部分側方壁
１８  第三の蓋体後方壁
１９  上面部分
２０  上面部分前方壁
２１  第四の蓋体凹状部分
２２  第四の蓋体後方壁
２３  第四の蓋体側方壁
【図１】
0005888969.tif 000002
【図２】
0005888969.tif 000003
【図３】
0005888969.tif 000004
【図４】
0005888969.tif 000005
【図５】
0005888969.tif 000006
【図６】
0005888969.tif 000007
【図７】
0005888969.tif 000008
【図８】
0005888969.tif 000009
【図９】
0005888969.tif 000010